(57)【要約】【課題】左右方向と上下方向の２方向に対する立体画像の表示品位を改善する。【解決手段】第１方向、及び、前記第１方向に対して直交する第２方向に並んだ複数の副画素を有する表示部と、前記表示部に重畳し、前記各副画素から出射される光線を制御する光制御部とを備え、前記各副画素は、前記第１方向に沿った第１幅と、前記第２方向に沿った第２幅とを有し、前記第２幅は前記第１幅のｎ倍（ｎは２以上の自然数）であり、前記光制御部は、前記第１方向及び前記第２方向のいずれとも異なる斜め方向に延出し、前記第１方向に対して概略４５°の傾きを有する、表示装置。【選択図】  図９
2020134679.tif 000002
【特許請求の範囲】
【請求項１】
第１方向、及び、前記第１方向に対して直交する第２方向に並んだ複数の副画素を有する表示部と、
前記表示部に重畳し、前記各副画素から出射される光線を制御する光制御部とを備え、
前記各副画素は、
前記第１方向に沿った第１幅と、前記第２方向に沿った第２幅とを有し、前記第２幅は前記第１幅のｎ倍（ｎは２以上の自然数）であり、
前記光制御部は、
前記第１方向及び前記第２方向のいずれとも異なる斜め方向に延出し、前記第１方向に対して概略４５°の傾きを有する、表示装置。
【請求項２】
前記光制御部の前記第１方向に対する傾き角度は、
ａｒｃｔａｎ（ｎｍ／ｋ）の条件を満たし、ｎは１画素を構成する副画素の数、ｍは１以上の自然数、ｋは素数である、請求項１に記載の表示装置。
【請求項３】
前記表示部は、
観察者の左右方向の視線の動きに合わせた横観察用の第１の画像と、観察者の上下方向の視線の動きに合わせた縦観察用の第２の画像とを切り替えて表示する、請求項１または２に記載の表示装置。
【請求項４】
前記第１の画像と前記第２の画像とでは、視線の影響を受けない画像の中心部分に相当する各画素の情報は略同じである、請求項３に記載の表示装置。
【請求項５】
前記第１の画像と前記第２の画像とでは、画像の中心部分を除き、視線の影響を受ける画像の上下左右側に相当する各画素の情報が異なる、請求項３に記載の表示装置。
【請求項６】
前記表示部は、
物理ボタンの操作により前記第１の画像と前記第２の画像を切り替えて表示する、請求項３に記載の表示装置。
【請求項７】
前記表示部は、
観察者の視点または頭の動きに合わせて前記第１の画像と前記第２の画像を切り替えて表示する、請求項３に記載の表示装置。
【請求項８】
前記表示部は、
観察者の視点または頭が左右方向に動いた場合に前記第１の画像を表示し、観察者の視点または頭が上下方向に動いた場合に前記第２の画像が表示される、請求項７に記載の表示装置。
【請求項９】
前記表示部は、
前記表示部の傾きに応じて前記第１の画像と前記第２の画像を切り替えて表示する、請求項３に記載の表示装置。
【請求項１０】
前記表示部は、
前記表示部の前記第１方向を垂直方向、前記第２方向を水平方向に近い状態に傾けた場合に前記第１の画像を表示し、前記表示部の前記第１方向を水平方向、前記第２方向を垂直方向に近い状態に傾けた場合に前記第２の画像を表示する、請求項９に記載の表示装置。
【発明の詳細な説明】
【技術分野】
【０００１】
本発明の実施形態は、表示装置に関する。
【背景技術】
【０００２】
近年、裸眼で立体視を可能とする多眼方式の表示装置が種々提案されている。このような表示装置においては、より自然な立体視を可能とすることが求められている。一例では、サブピクセル群を含む表示装置に重なった光線制御素子が第１方向とａｒｃｔａｎ（１／３）をなす方向に沿って所定の周期で光学特性が変化している技術が知られている。その他、レンズ素子がａｒｃｔａｎ（１／１２）、ａｒｃｔａｎ（１／１５）、ａｒｃｔａｎ（１／１６）にそれぞれ傾斜している技術も開示されている。
【先行技術文献】
【特許文献】
【０００３】
【特許文献１】特開２０１３−２３１７４５号公報
【特許文献２】特開２０１４−１６７４９３号公報
【発明の概要】
【発明が解決しようとする課題】
【０００４】
上述した表示装置では、左右方向（水平方向）に対する立体視を実現するものである。上下方向（垂直方向）から画像を観察した場合に、著しく表示品位が低下してしまう。
【０００５】
本実施形態の目的は、左右方向と上下方向の２方向に対する立体画像の表示品位を改善することが可能な表示装置を提供することにある。
【課題を解決するための手段】
【０００６】
本実施形態によれば、第１方向、及び、前記第１方向に対して直交する第２方向に並んだ複数の副画素を有する表示部と、前記表示部に重畳し、前記各副画素から出射される光線を制御する光制御部とを備え、前記各副画素は、前記第１方向に沿った第１幅と、前記第２方向に沿った第２幅とを有し、前記第２幅は前記第１幅のｎ倍（ｎは２以上の自然数）であり、前記光制御部は、前記第１方向及び前記第２方向のいずれとも異なる斜め方向に延出し、前記第１方向に対して概略４５°の傾きを有する、表示装置が提供される。
【図面の簡単な説明】
【０００７】
【図１】図１は、本実施形態における表示装置１の第１構成例を示す断面図である。
【図２】図２は、図１に示した表示パネル１０の一構成例を示す平面図である。
【図３】図３は、図１に示した光制御素子２０の一構成例を示す断面図である。
【図４】図４は、図３に示した光制御素子２０の一構成例を示す平面図である。
【図５】図５は、本実施形態における表示装置１の第２構成例を示す断面図である。
【図６】図６は、本実施形態における表示装置１の第３構成例を示す断面図である。
【図７】図７は、光制御素子６０の一構成例を示す断面図である。
【図８】図８は、光制御素子６０の一構成例を示す平面図である。
【図９】図９は、表示部ＤＡを横向きにした状態における副画素ＳＰのレイアウトの一例を示す図である。
【図１０】図１０は、仮想の観察面ＶＰにおける視点と、観察される副画素ＳＰとの関係を示す図である。
【図１１】図１１は、表示部ＤＡを縦向きにした状態における副画素ＳＰのレイアウトの一例を示す図である。
【図１２】図１２は、観察者の視線の動きを説明するための図である。
【図１３】図１３は、第１の表示モードと観察者の視線との関係を示す図である。
【図１４】図１４は、第２の表示モードと観察者の視線との関係を示す図である。
【図１５】図１５は、表示部ＤＡに対する光制御部１００の傾き角度θ３を説明するための図である。
【図１６】図１６は、光制御部１００の傾き角度θ３とモアレとの関係を示す図である。
【図１７】図１７は、横観察を説明するための図である。
【図１８】図１８は、縦観察を説明するための図である。
【図１９】図１９は、表示システムの構成を示すブロック図である。
【図２０】図２０は、モード切替え方法１による表示装置１の動作を説明するためのフローチャートである。
【図２１】図２１は、モード切替え方法２による表示装置１の動作を説明するためのフローチャートである。
【図２２】図２２は、モード切替え方法３による表示装置１の動作を説明するためのフローチャートである。
【発明を実施するための形態】
【０００８】
以下、いくつかの実施形態について、図面を参照しながら説明する。
なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００９】
≪第１構成例≫  
図１は、本実施形態における表示装置１の第１構成例を示す断面図である。図中において、第１方向Ｘ及び第２方向Ｙは互いに直交し、第３方向Ｚは第１方向Ｘ及び第２方向Ｙと直交している。第１方向Ｘ及び第２方向Ｙは、表示装置１を構成する基板の主面と平行な方向に相当し、第３方向Ｚは、表示装置１の厚さ方向に相当する。
【００１０】
本明細書において、第１基板１１から第２基板１２に向かう方向を「上側」（あるいは、単に上）と称し、第２基板１２から第１基板１１に向かう方向を「下側」（あるいは、単に下）と称する。「第１部材の上の第２部材」及び「第１部材の下の第２部材」とした場合、第２部材は、第１部材に接していてもよいし、第１部材から離間していてもよい。また、第３方向Ｚを示す矢印の先端側に表示装置１を観察する観察位置があるものとし、この観察位置から、第１方向Ｘ及び第２方向Ｙによって規定されるＸ−Ｙ平面に向かって観察することを平面視という。
【００１１】
表示装置１は、表示パネル１０と、光制御素子２０と、照明装置３０と、を備えている。表示パネル１０は、例えば液晶パネルである。表示パネル１０は、第１基板１１及び第２基板１２を備えている。第２基板１２は、第１基板１１の上に位置している。光制御素子２０は、表示パネル１０の上に位置している。光制御素子２０は、後に詳述するが、複数の光制御部を備えている。光制御素子２０は、透明樹脂４０により表示パネル１０に固定されている。照明装置３０は、表示パネル１０の下に位置している。第１偏光板５１は、第１基板１１の下面１１Ｂに接着されている。第２偏光板５２は、光制御素子２０の上面２０Ａに接着されている。
【００１２】
第２偏光板５２は、第２基板１２の上面１２Ａに接着されてもよいし、光制御素子２０の下面２０Ｂに接着されてもよい。また、光制御素子２０は、第１偏光板５１と第１基板１１との間、または、照明装置３０と第１偏光板５１との間に位置していてもよい。また、光制御素子２０は、表示パネル１０に内蔵されていてもよい。
【００１３】
なお、表示パネル１０は、液晶パネルに限らず、有機エレクトロルミネッセンス表示素子やμＬＥＤ等を有する自発光型の表示パネル、電気泳動素子等を有する電子ペーパ型の表示パネルであってもよい。
【００１４】
表示パネル１０は、例えば、第１基板１１の背面側からの光を選択的に透過させることで画像を表示する透過型の表示パネルである。なお、表示パネル１０は、第２基板１２の前面側からの光を選択的に反射させることで画像を表示する反射型の表示パネルであってもよいし、透過表示機能及び反射表示機能を備える表示パネルであってもよい。表示パネル１０が反射型の表示パネルである場合、照明装置３０が省略されてもよいし、照明装置３０が表示パネル１０の上に位置していてもよい。
【００１５】
図２は、図１に示した表示パネル１０の一構成例を示す平面図である。表示パネル１０は、平面視で第１基板１１及び第２基板１２が重畳する部分に表示部ＤＡを備えている。表示部ＤＡは、第１方向Ｘ及び第２方向Ｙに並んだ複数の副画素ＳＰを備えている。一例では、表示部ＤＡは、副画素ＳＰとして、赤色を表示する赤副画素ＳＰＲと、緑色を表示する緑副画素ＳＰＧと、青色を表示する青副画素ＳＰＢと、を備えている。
【００１６】
図２においては、赤副画素ＳＰＲは第２方向Ｙに平行な縦線のパターンで示し、緑副画素ＳＰＧは第１方向Ｘに平行な横線のパターンで示し、青副画素ＳＰＢは格子のパターンで示している。なお、以下の説明において、副画素の色について言及しない場合には、単に副画素ＳＰと称して説明する場合がある。
【００１７】
また、表示部ＤＡのＸ−Ｙ平面が長方形状としたとき、短手方向が第１方向Ｘ、長手方向が第２方向Ｙとなる。つまり、表示部ＤＡの短手方向を水平方向、表示部ＤＡの長手方向を垂直方向にした状態であれば、第１方向Ｘは水平方向と称される場合があり、第２方向Ｙは垂直方向と称される場合がある。第１方向Ｘに並んだ複数の副画素ＳＰは「行」を構成し、第２方向Ｙに並んだ複数の副画素ＳＰは「列」を構成する。
【００１８】
第１方向Ｘに隣接する２つの副画素ＳＰは、互いに異なる色を表示する副画素に相当する。第２方向Ｙに隣接する２つの副画素ＳＰは、同一色を表示する副画素に相当する。図２に示した例では、赤副画素ＳＰＲ、緑副画素ＳＰＧ、及び、青副画素ＳＰＢは、この順に第１方向Ｘに並び、また、同一色の副画素ＳＰが第２方向Ｙに並んでいる。
【００１９】
赤副画素ＳＰＲ、緑副画素ＳＰＧ、及び、青副画素ＳＰＢは、それぞれ平行四辺形に形成され、第２方向Ｙに対して４°以上１６°以下の角度θ１で傾いている。また、赤副画素ＳＰＲ、緑副画素ＳＰＧ、及び、青副画素ＳＰＢは、それぞれ同じ寸法を有しており、第１方向Ｘに沿った第１幅ＷＸと、第２方向Ｙに沿った第２幅ＷＹと、を有している。第２幅ＷＹは、第１幅ＷＸより大きい。第１幅ＷＸは、副画素ＳＰの第１方向Ｘに沿ったピッチに相当し、また、隣接する信号線ＳＬの第１方向Ｘに沿ったピッチに相当する。第２幅ＷＹは、副画素ＳＰの第２方向Ｙに沿ったピッチに相当し、また、隣接する走査線ＧＬの第２方向Ｙに沿ったピッチに相当する。
【００２０】
例えば、ｎ色の副画素が第１方向Ｘに並び、これらｎ個の副画素のセットが第１方向Ｘに並んでいる場合には、第２幅ＷＹは、第１幅ＷＸのｎ倍である。ｎは、２以上の自然数である。図２に示した例では、ｎは３である。このため、第２幅ＷＹは、第１幅ＷＸの約３倍である。
【００２１】
表示部ＤＡにおいて、奇数行目ＬＡに位置する副画素ＳＰは、偶数行目ＬＢに位置する副画素ＳＰとは異なる方向に傾いている。但し、奇数行目ＬＡに位置する副画素ＳＰと第２方向Ｙとのなす角度は、偶数行目ＬＢに位置する副画素ＳＰと第２方向Ｙとのなす角度と同一である。
【００２２】
例えば、奇数行目ＬＡに位置する副画素ＳＰは、いずれも第２方向Ｙに対して時計回りに角度θ１で傾いている。一方、偶数行目ＬＢに位置する副画素ＳＰは、いずれも第２方向Ｙに対して反時計回りに角度θ１で傾いている。なお、奇数行目ＬＡに位置する副画素ＳＰが第２方向Ｙに対して反時計回りに角度θ１で傾き、偶数行目ＬＢに位置する副画素ＳＰが第２方向Ｙに対して時計回りに角度θ１で傾いていてもよい。
【００２３】
図３は、図１に示した光制御素子２０の一構成例を示す断面図である。光制御素子２０は、基材２１と、複数の光規制体２２と、を備えている。基材２１は、ガラスや樹脂などの透明基板である。光規制体２２は、自身を透過する光線を制限するものであり、光制御部として機能する。光規制体２２は、一例として、第１方向Ｘに並んだ複数の副画素ＳＰに重畳する遮光体２３と、少なくとも１個の副画素ＳＰに重畳する開口２４と、を備えている。換言すると、複数の遮光体２３は、開口２４の幅に相当する間隔をおいて第１方向Ｘに並んでいる。遮光体２３は、その光学濃度（ＯＤ値）が３以上であることが望ましい。遮光体２３は、光吸収体であってもよいし、光反射体であってもよい。遮光体２３は、クロム、モリブデン、あるいは銀を含む化合物などの金属材料によって形成されてもよいし、黒色の樹脂材料によって形成されてもよい。本実施の形態では、例えば光規制体２２として、エマルジョンマスクを用いる。
【００２４】
遮光体２３は幅Ｗ２３を有し、開口２４は幅Ｗ２４を有している。なお、ここでの幅Ｗ２３及び幅Ｗ２４は、いずれも第１方向Ｘに沿った長さである。１個の光規制体２２の幅Ｗ２２、あるいは、第１方向Ｘに並んだ光規制体２２のピッチは、幅Ｗ２３と幅Ｗ２４との和に相当する。
【００２５】
幅Ｗ２３は、幅Ｗ２４より大きい。一例では、第１方向Ｘに並んだ２個の光規制体２２は、２３個の副画素ＳＰに重畳している。第１方向Ｘに隣接する開口２４は、互いに異なる色の副画素ＳＰに重畳している。例えば、図３の左側に位置する開口２４は赤副画素ＳＰＲに重畳し、図３の右側に位置する開口２４は青副画素ＳＰＢに重畳している。
【００２６】
図３に示した例では、幅Ｗ２４は、副画素ＳＰの第１幅ＷＸより大きいが、この例に限定されるものではない。幅Ｗ２４は第１幅ＷＸと同等であってもよいし、幅Ｗ２４は第１幅ＷＸより小さくてもよい。幅Ｗ２４が第１幅ＷＸより小さい場合、開口２４を透過する光線の数を低減することができ、視認される画像の解像度を向上することができる。一方で、視認される画像の輝度低下を抑制する観点では、幅Ｗ２４は、少なくとも１副画素分の第１幅ＷＸとほぼ等しいことが望ましい。また、１個の開口２４は、複数の副画素ＳＰに重畳してもよい。
【００２７】
図４は、図３に示した光制御素子２０の一構成例を示す平面図である。光制御素子２０において、複数の光規制体２２は、第１方向Ｘに並んでいる。光規制体２２を構成する遮光体２３及び開口２４は、第１方向Ｘ及び第２方向Ｙとは異なる斜め方向に延出している。遮光体２３の各々は、第１方向Ｘに並んだ一対のエッジＥ２３を有している。一対のエッジＥ２３は、平行である。開口２４は、第１方向Ｘに隣接する遮光体２３の互いに向かい合うエッジＥ２３の間に位置する。
【００２８】
光規制体２２は、図２に示した表示部ＤＡに重畳し、奇数行目ＬＡに位置する副画素ＳＰ、及び、偶数行目ＬＢに位置する副画素ＳＰに跨って直線的に延出している。光規制体２２、遮光体２３、及び、開口２４のそれぞれは、第２方向Ｙに対して角度θ２で傾いている。角度θ２は、角度θ１より小さい。本実施形態では、光規制体２２、遮光体２３、及び、開口２４のそれぞれの延出方向は、エッジＥ２３の延出方向として規定することができる。エッジＥ２３は、第２方向Ｙに対して角度θ２で傾いている。
【００２９】
また、後述するように、第１方向Ｘを基準とした場合に、エッジＥ２３は、第１方向Ｘに対して角度θ３で傾いている。この角度θ３は、表示部ＤＡに表示される画像を直交する２方向つまり第１方向Ｘと第２方向Ｙで立体視可能な角度に設定されており、概略４５°である。なお、角度θ３は、第１方向Ｘに対して時計回りの角度であってもよいし、第１方向Ｘに対して反時計回りの角度であってもよい。
【００３０】
≪第２構成例≫  
図５は、本実施形態における表示装置１の第２構成例を示す断面図である。図５に示した表示装置１は、図１に示した表示装置１とは異なる光制御素子６０を備えている。光制御素子６０は、複数のレンズ６１を備えている。光制御素子６０は、レンズ面６０Ａ及び平面６０Ｂを有している。光制御素子６０は、その平面６０Ｂが表示パネル１０を向くように配置されている。光制御素子６０は、平面６０Ｂと第２偏光板５２との間の透明樹脂４０により固定されている。第２偏光板５２は、第２基板１２の上面１２Ａに接着されている。光制御素子６０の詳細については後述する。
【００３１】
≪第３構成例≫  
図６は、本実施形態における表示装置１の第３構成例を示す断面図である。図６に示した表示装置１は、図５に示した表示装置１と比較して、光制御素子６０の位置が相違している。すなわち、光制御素子６０は、そのレンズ面６０Ａが第２基板１２に接触している。光制御素子６０は、詳述しないが表示パネル１０の外周に固定されていることが望ましい。第２偏光板５２は、光制御素子６０の平面６０Ｂに接着されている。光制御素子６０の詳細については後述する。
【００３２】
図７は、光制御素子６０の一構成例を示す断面図である。ここでは、図５に示した第２構成例の光制御素子６０を例に説明する。複数のレンズ６１を備えた光制御素子６０は、透明なガラスや樹脂などによって形成されている。レンズ６１は、光制御部として機能する。レンズ６１は、第１方向Ｘに並んだ複数の副画素ＳＰに重畳する。図示した副画素ＳＰは、図５に示した表示パネル１０に備えられている。レンズ６１は、第１方向Ｘに沿って幅Ｗ６１を有している。一例では、第１方向Ｘに並んだ２個のレンズ６１は、２３個の副画素ＳＰに重畳している。
【００３３】
なお、図７に示した例では、光制御素子６０の平面６０Ｂが副画素ＳＰに対向しているが、図６に示した第３構成例の如く、光制御素子６０のレンズ面６０Ａが副画素ＳＰに対向していてもよい。
【００３４】
図８は、光制御素子６０の一構成例を示す平面図である。ここに示した光制御素子６０は、図５に示した第２構成例、及び、図６に示した第３構成例のいずれにも適用可能である。光制御素子２０において、複数のレンズ６１は、第１方向Ｘに並んでいる。レンズ６１は、第１方向Ｘ及び第２方向Ｙとは異なる方向に延出している。レンズ６１の各々は、第１方向Ｘに並んだ一対のエッジＥ６１を有している。一対のエッジＥ６１は、平行である。
【００３５】
レンズ６１は、図２に示した表示部ＤＡに重畳し、奇数行目ＬＡに位置する副画素ＳＰ、及び、偶数行目ＬＢに位置する副画素ＳＰに跨って直線的に延出している。レンズ６１は、第１構成例と同様に、第２方向Ｙに対して角度θ２で傾いている。本実施形態では、レンズ６１の延出方向は、エッジＥ６１の延出方向として規定することができる。エッジＥ６１は、第１方向Ｘに対して角度θ３で傾いている。
【００３６】
≪光制御の具体例≫  
以下、上記の光規制体２２及びレンズ６１を光制御部１００として説明する。光制御部１００は、副画素ＳＰの各々から出射される光線を制御するものである。
【００３７】
図９は、表示部ＤＡを横向きにした状態における副画素ＳＰのレイアウトの一例を示す図である。「横向き」とは、表示部ＤＡの第１方向Ｘを垂直方向、第２方向Ｙを水平方向にした状態であり、図２の状態から９０度回転させた状態である。
【００３８】
表示部ＤＡは、図中の太線で囲んだ画素群Ｇを備えている。画素群Ｇは、Ｌ視点の画像を表示するための複数の副画素ＳＰを備えている。Ｌは、２以上の自然数である。図９に示した例では、副画素ＳＰは、第２方向Ｙに沿った長辺を有する長方形状に形成されている。なお、副画素ＳＰは、他の形状に形成されていてもよい。ここで述べる視点とは、図１１を参照して後述するが、観察面ＶＰにおいて反時計回りに順に並んだ観察位置を示している。図９において各副画素ＳＰに記した数字は、視点の番号を示している。
【００３９】
画素群Ｇにおいて、複数の副画素ＳＰは、第１方向Ｘ及び第２方向Ｙにマトリクス状に並んでいる。一例では、Ｌは２５であり、１視点当たり、赤副画素ＳＰＲ、緑副画素ＳＰＧ、及び、青副画素ＳＰＢの３個の副画素ＳＰが存在する場合、画素群Ｇは、７５（＝２５＊３）個の副画素ＳＰを備えている。画素群Ｇにおいては、第１方向Ｘに沿って２個，５個，７個，１０個，１２個，または１３個の副画素ＳＰが並び、第２方向Ｙに沿って５個の副画素ＳＰが並んでいる。
【００４０】
本実施形態では、１個の画素群Ｇには、第２方向Ｙに並んだ１個の光制御部１００が重畳する。光制御部１００は、第１方向Ｘに対して角度θ３で傾いている。図９の例では、θ３＝ａｒｃｔａｎ（６／５）＝約５０度である。なお、この角度θ３については、後に図１５及び図１６を参照して詳しく説明する。
【００４１】
図９において、隣接する光制御部１００のピッチＰは、光制御部１００の第２方向Ｙに沿った幅１００Ｗと実質的に同一である。図９に示した例では、赤副画素ＳＰＲ、緑副画素ＳＰＧ、及び、青副画素ＳＰＢがほぼ同一の第２幅ＷＹを有している。しかしながら、赤副画素ＳＰＲ、緑副画素ＳＰＧ、及び、青副画素ＳＰＢのすべてが第２方向Ｙに沿って同一の幅を有していない場合もありうる。このような場合には、第２幅ＷＹは、赤副画素ＳＰＲ、緑副画素ＳＰＧ、及び、青副画素ＳＰＢのそれぞれの第２方向Ｙに沿った幅の平均値（あるいは、表示部ＤＡにおいて第２方向Ｙに並んだすべての副画素ＳＰの第２方向Ｙに沿った幅の平均値）として定義する。
【００４２】
図１０は、仮想の観察面ＶＰにおける視点と、観察される副画素ＳＰとの関係を示す図である。図１０は、光制御部１００と画素群Ｇの各副画素ＳＰとの関係を示す図に相当する。一例では、上記の通りＬは２５であり、観察面ＶＰにおいて、２５個の視点「１」〜「２５」が存在し、これらの視点「１」〜「２５」にそれぞれ対応した視線Ｖ１〜Ｖ２５１が存在する。
【００４３】
図１０の例では、代表的な視点「１」，「６」，…「２１」を表記し、また、これらの視点「１」，「６」，…「２１」にそれぞれ対応した視線Ｖ１，Ｖ６，…Ｖ２１が図示されている。視線Ｖ１，Ｖ６，…Ｖ２１は、光制御部１００によって規制された光線とみなすことができる。視線Ｖ１，Ｖ６，…Ｖ２１は、観察面ＶＰの各視点に観察者の眼が位置するものとしたときに、視点「１」，「６」，…「２１」の各々と、第１行目ａ１の副画素ＳＰの各々とを結ぶ線分である。
【００４４】
なお、観察面ＶＰにおける視点「１」及び「６」の間には、図示しない視点「２」〜「５」が存在する。また、視線Ｖ１及びＶ６の間には、図示しない視線Ｖ２〜Ｖ５が存在する。視線Ｖ２は、視点「２」と、第４行目ａ４に「２」と記した副画素ＳＰと、を結ぶ線分である。視線Ｖ３は、視点「３」と、第２行目ａ２に「３」と記した副画素ＳＰと、を結ぶ線分である。視線Ｖ４は、視点「４」と、第５行目ａ５に「４」と記した副画素ＳＰと、を結ぶ線分である。視線Ｖ５は、視点「５」と、第３行目ａ３に「５」と記した副画素ＳＰと、を結ぶ線分である。
【００４５】
第１行目ａ１には、（５ｃ−４）で表される視点から観察される副画素ＳＰが配置されている。ｃは１以上の整数である。第２行目ａ２には、（５ｃ−２）で表される視点から観察される副画素ＳＰが配置されている。第３行目ａ３には、５ｃで表される視点から観察される副画素ＳＰが配置されている。
【００４６】
上述したように、観察面ＶＰには２５個の視点「１」〜「２５」が存在し、表示部ＤＡには「１」〜「２５」と記した２５個の副画素ＳＰが存在し、観察面ＶＰと表示部ＤＡとの間には、対応する２５本の視線Ｖ１〜Ｖ２５が存在する。
【００４７】
再び、図９に戻って副画素ＳＰのレイアウトについて説明する。  
図９において同一の数字が記された副画素ＳＰは、同一の視点で観察される副画素に相当する。画素群Ｇは、第１方向Ｘに連続して並んだ５行分において、全部で２５個の副画素ＳＰを備えている。これらの２５個の副画素ＳＰは、それぞれ異なる２５個の視点から観察される。
【００４８】
第１行目ａ１、第６行目ａ６、及び、第１１行目ａ１１は、同様に配置された副画素ＳＰを備えている。第１行目ａ１、第６行目ａ６、及び、第１１行目ａ１１のそれぞれの副画素ＳＰは、画素群Ｇにおいて（５ｃ−４）で表される視点に対応した画像を表示する。
【００４９】
第２行目ａ２、第７行目ａ７、及び、第１２行目ａ１２は、同様に配置された副画素ＳＰを備えている。第２行目ａ２、第７行目ａ７、及び、第１２行目ａ１２のそれぞれの副画素ＳＰは、画素群Ｇにおいて（５ｃ−２）で表される視点に対応した画像を表示する。
【００５０】
第３行目ａ３、第８行目ａ８、及び、第１３行目ａ１３は、同様に配置された副画素ＳＰを備えている。第３行目ａ３、第８行目ａ８、及び、第１３行目ａ１３のそれぞれの副画素ＳＰは、画素群Ｇにおいて５ｃで表される視点に対応した画像を表示する。
【００５１】
連続した３行分の副画素ＳＰには、同一の視点において観察される赤副画素ＳＰＲ、緑副画素ＳＰＧ、及び、青副画素ＳＰＢのいずれかが含まれる。また、同一の視点においてカラー表示を実現すべく、連続した９行分の副画素ＳＰには、赤副画素ＳＰＲ、緑副画素ＳＰＧ、及び、青副画素ＳＰＢのすべてが含まれる。
【００５２】
すなわち、同一の視点から観察される第１色の副画素は第１行目ａ１から第５行目ａ５までに含まれ、第１色とは異なる第２色の副画素は第６行目ａ６から第１０行目ａ１０までに含まれ、第１色及び第２色とは異なる第３色の副画素は第１１行目ａ１１から第１５行目ａ１５までに含まれる。一例では、視点「１」から観察した場合、第１行目ａ１に赤副画素ＳＰＲが含まれ、第６行目ａ６に青副画素ＳＰＢが含まれ、第１１行目ａ１１に緑副画素ＳＰＧが含まれる。これら、同一視点の画像を表示する赤副画素ＳＰＲ、緑副画素ＳＰＧ、及び、青副画素ＳＰＢは、光制御部１００のエッジ１００Ｅが延出する方向に並んでいる。
【００５３】
このように、第２方向Ｙに並んだ複数の副画素ＳＰは、対応する視点から観察した際の画像を表示する。観察面ＶＰに位置する観察者は、光制御部１００を介して表示部ＤＡを観察した際に、視線Ｖ１〜Ｖ２５のいずれかを通して副画素ＳＰを視認することができる。観察者の右眼と左眼とでは、観察面ＶＰにおける視点が異なる。このため、観察者は、複数の視点で異なる画像を観察することによって視差を認識し、画像の立体感を得ることができる。また、観察者が観察面ＶＰに沿って視点を変化させた際には、２５個の各視点に応じた画像を観察することができ、より自然な立体感を得ることができる。
【００５４】
≪画像の補正≫  
図９に示した表示部ＤＡの例で、左右方向（水平方向）の視域角Ｗを５０度とすると、左右方向の光線間角度は約２度、上下方向（垂直方向）の光線間角度は約１．４度である。つまり、左右方向と上下方向で光線のズレがあるため、画像をこのズレに合わせて補正しておくことが好ましい。これにより、表示部ＤＡの向きを変えずに、画像を入れ替えるだけで、表示部ＤＡに左右方向の運動視差を持った立体画像と、上下方向の運動視差を持った立体画像を観察できる。
【００５５】
≪表示部の縦向き≫  
図１１は、表示部ＤＡを縦向きにした状態における副画素ＳＰのレイアウトの一例を示す図である。「縦向き」とは、図２の例のように表示部ＤＡの第１方向Ｘを水平方向、第２方向Ｙを垂直方向にした状態である。
【００５６】
図１１に示すように、表示部ＤＡを「縦向き」にした状態でも、図中の太線で囲んだ画素群Ｇと光制御部１００との関係は「横向き」の場合と同じである。すなわち、画素群ＧはＬ視点（ここではＮ＝２５）の画像を表示するための複数の副画素ＳＰを含み、この画素群Ｇに対して光制御部１００が重畳する。光制御部１００は、第１方向Ｘに対して角度θ３で傾いている。これにより、画像を入れ替えるだけで、表示部ＤＡに左右方向の運動視差を持った立体画像と、上下方向の運動視差を持った立体画像を観察できる。
【００５７】
≪表示モード≫  
図１２は、観察者の視線の動きを説明するための図である。図１３は、第１の表示モードと観察者の視線との関係を示す図である。図１４は、第２の表示モードと観察者の視線との関係を示す図である。
【００５８】
本実施形態において、表示装置１は、図１２に示すような立体画像を表示するためのモードとして、第１の表示モード及び第２の表示モードを有する。第１の表示モードでは、図１３に示すように、表示部ＤＡに対する観察者の顔の向きが正面でも横でも、表示部ＤＡに左右方向の運動視差を持った立体画像を観察できる。この第１の表示モードのことを「横モード」とも呼ぶ。第２の表示モードでは、図１４に示すように、表示部ＤＡに対する観察者の顔の向きが正面でも横でも、上下方向の運動視差を持った立体画像を観察できる。この第２の表示モードのことを「縦モード」とも呼ぶ。
【００５９】
ここで、第１の表示モードに対応した画像（第１の画像と称す）と、第２の表示モードに対応した画像（第２の画像と称す）とでは、同じ表示対象であっても、各画素の情報が異なる。第１の画像は、観察者の左右方向（Ｘ−Ｘ′方向）の視線の動きに合わせた横観察用の画像であり、画像の左側及び右側に相当する各画素の情報が詳細化されている。第２の画像は、観察者の上下方向（Ｙ−Ｙ′方向）の視線の動きに合わせた縦観察用の画像であり、画像の上側及び右側に相当する各画素の情報が詳細化されている。つまり、第１の画像と第２の画像とでは、視線の影響を大きく受ける画像の上下左右側に相当する各画素の情報が異なる。一方、視線の影響をあまり受けない画像の中心部分に相当する各画素の情報は略同じである。
【００６０】
≪光制御部の傾き角度≫  
図１５は、表示部ＤＡに対する光制御部１００の傾き角度θ３を説明するための図である。図１６は、光制御部１００の傾き角度θ３とモアレとの関係を示す図である。
【００６１】
いま、図１５に示すように、表示部ＤＡを横向きにした状態、つまり、表示部ＤＡの第１方向Ｘを垂直方向、第２方向Ｙを水平方向にした状態で説明する。図中の「横」とは、表示部ＤＡの第２方向Ｙに沿った方向を表し、「縦」とは、表示部ＤＡの第１方向Ｘに沿った方向を表す。表示部ＤＡには、複数の副画素ＳＰが第１方向Ｘ及び第２方向Ｙにマトリクス状に並んでいる。表示部ＤＡが横向きの状態にあるとき、各副画素ＳＰの長辺が第２方向Ｙに沿う。図９で説明したように、表示部ＤＡの第１方向Ｘに異なる色の副画素ＳＰが並び、表示部ＤＡの第２方向Ｙに同じ色の副画素ＳＰが並ぶ。副画素ＳＰの第２幅ＷＹは、第１幅ＷＸのｎ倍である。この例では、ｎ＝３であり、第２幅ＷＹは第１幅ＷＸの約３倍である。
【００６２】
光制御部１００の傾き角度θ３は、表示部ＤＡに表示される画像を直交する２方向つまり第１方向Ｘと第２方向Ｙで立体視可能な角度に設定されており、概略４５°である。なお、図１５の例では、光制御部１００の傾きが左下がりであるが、右下がりであってもよい。
【００６３】
ここで、各副画素ＳＰは第１方向Ｘ及び第２方向Ｙにマトリクス状に並んでおり、そこに光制御部１００の傾き角度θ３によっては、画像にモアレが発生する可能性がある。図１６の例は、「横」の画素数と「縦」の副画素数との比率で角度θ３を変えて、モアレの状態を測定した結果を表している。「×」の表記はモアレがはっきり見えて、ＮＧであることを示す。「○−」の表記はモアレが薄く見えるが、ＯＫであることを示す。「○」の表記はモアレが見えづらく、ＯＫであることを示す。
【００６４】
モアレが薄く見える、あるいは、モアレが見えづらいときの「横」の画素数と「縦」の副画素数との比率から、下記の式（１）が得られる。
【００６５】
θ３＝ａｒｃｔａｎ（ｎｍ／ｋ）    …（１）
ただし、ｎは１画素を構成する副画素の数であり、ｍは１以上の自然数である。ｋは素数であり、１３以下が望ましい。つまり、ｋは図１６の例でモアレが薄く見える、あるいは、モアレが見えづらいときの「縦」の副画素数に相当し、５，７，１１，１３である。なお、図９に示した例では、θ３＝ａｒｃｔａｎ（６／５）＝約５０度であり、「横」の画素数２（副画素数６），「縦」の副画素数５のときの角度である。
【００６６】
このように、上記（１）式を満足する角度θ３で光制御部１００を傾ければ、モアレの発生を抑えることができる。したがって、画像を直交する２方向で立体視可能な角度である４５°の前後で、上記（１）式を満足する角度がよい。具体的には、光制御部１００は第１方向Ｘに対して４５°±１０°の傾き、つまり、θ３＝±（４５°±１０°）が望ましい。
【００６７】
≪横観察と縦観察≫  
図１７は、横観察を説明するための図である。図１８は、縦観察を説明するための図である。
【００６８】
表示パネル１０の表示部ＤＡにおいて、図１７に示すように、観察者の両目に対して副画素ＳＰの長辺方向が水平方向に近い角度で画像を観察する場合を横観察とする。一方、図１８に示すように、観察者の両目に対して副画素ＳＰの長辺方向が垂直方向に近い角度で画像を観察する場合を縦観察とする。
縦横切り替えで使う場合に、光制御部１００が角度θ３で傾いているとき、縦がａの角度ピッチで画像をセットするとき、縦観察ではｂの角度ピッチで画像をセットする必要がある。縦横切り替えを行う場合、光線角度が縦観察と横観察とで異なるので、光線ピッチが異なり過ぎると、一方の観察時に３Ｄに見えない可能性がある。そのため、θ３＝±（４５°±１０°）が望ましい。
【００６９】
≪表示システムの構成≫  
図１９は、表示システムの構成を示すブロック図である。本実施形態における表示システム２００は、表示装置１と、制御装置２０１と、記憶装置２０２とを備える。表示装置１は、図９に示したように、第１方向及び第２方向に並んだ複数の副画素ＳＰを有する表示部ＤＡと、この表示部ＤＡに重畳し、各副画素ＳＰから出射される光線を制御する光制御部１００とを備える。光制御部１００は、第１方向Ｘ及び第２方向Ｙのいずれとも異なる斜め方向に延出し、第１方向Ｘに対して概略４５°の傾きを有する。
【００７０】
制御装置２０１は、例えばＣＰＵからなり、記憶装置２０２に記憶されたプログラムを読み込むことにより、そのプログラムに記述された手順に従って表示装置１の表示動作を制御する。本実施形態において、この制御装置２０１は、立体画像の表示に関わる機能部として、モード切替え部２０４、画像生成部２０５、表示処理部２０６を有する。
【００７１】
モード切替え部２０４は、上述した第１の表示モード（横モード）と第２の表示モード（縦モード）との切替えを行う。詳しくは、モード切替え部２０４は、物理ボタン３０１、トラッキングシステム３０２、傾き検知部３０３のいずれか少なくとも１つを用いて、第１の表示モード（横モード）と第２の表示モード（縦モード）との切替えを行う。
【００７２】
物理ボタン３０１は、観察者の明示的な指示により、第１の表示モードと第２の表示モードを切り替えるための操作ボタンであり、例えば表示装置１の任意の箇所に設けられる。モード切替え部２０４は、物理ボタン３０１の操作に応じて第１の表示モードまたは第２の表示モードに切り替える。なお、図１９の例では、１つの物理ボタン３０１の操作によって第１の表示モードと第２の表示モードを切り替える構成としたが、これに限定されるものではない。例えば、２つの物理ボタンを用いて第１の表示モードと第２の表示モードを切り替えてもよい。また、ボタン構成についても押下式でも、スライド式や回転式であってもよい。
【００７３】
トラッキングシステム３０２は、例えばアイトラッキング、ヘッドトラッキングのいずれか少なくとも１つを含む。「アイトラッキング」は、例えば赤外線センサを用いて観察者の視線の動きを検知するものである。「ヘッドトラッキング」は、例えばＶＲ（virtual reality）用のヘッドセットを用いて観察者の頭の動きを視線の動きとして検知するものである。モード切替え部２０４は、トラッキングシステム３０２によって検知された観察者の視線の動きや頭の動きに合わせて第１の表示モードまたは第２の表示モードに切り替える。
【００７４】
傾き検知部３０３は、例えばジャイロセンサを用いて表示装置１の表示部ＤＡの傾きを検出する。ジャイロセンサは、表示装置１に内蔵され、表示装置１の表示部ＤＡの傾きに応じた電気信号を出力する。ここでは、モード切替え部２０４は、傾き検知部３０３によって表示部ＤＡの第１方向Ｘが垂直状態、第２方向Ｙが水平方向に近い状態に傾いたことが検知された場合に第１の表示モードに切り替える。モード切替え部２０４は、傾き検知部３０３によって表示部ＤＡの第１方向Ｘが水平状態、表示部ＤＡの第２方向Ｙが垂直方向に近い状態に傾いたことが検知された場合に第２の表示モードに切り替える。
【００７５】
画像生成部２０５は、モード切替え部２０４によって切り替えられた表示モードに応じて、第１の画像または第２の画像を生成する。第１の画像は、第１の表示モードで用いられ、観察者の左右方向の視線の動きに合わせた横観察用の画像である。第２の画像は、第２の表示モードで用いられ、観察者の上下方向の視線の動きに合わせた縦観察用の画像である。表示処理部２０６は、画像生成部２０５によって生成された第１の画像または第２の画像を表示装置１の表示部ＤＡに表示するための処理を行う。
【００７６】
記憶装置２０２は、制御装置（ＣＰＵ）２０１によって実行されるプログラムを含み、制御装置２０１の処理動作に必要な各種情報を記憶している。前記プログラムには、オペレーティングシステム（ＯＳ）の他に、後述する各フローチャートに示す処理動作を実行するためのプログラム（以下、表示制御プログラムと称す）等が含まれる。
【００７７】
モード切替え部２０４、画像生成部２０５、表示処理部２０６の一部または全ては、制御装置２０１に表示制御プログラムを実行させることで実現される。この表示制御プログラムは、コンピュータが読み取り可能な記録媒体に格納して頒布されてもよいし、またはネットワークを通じて制御装置１にダウンロードされてもよい。なお、モード切替え部２０４、画像生成部２０５、表示処理部２０６の一部または全ては、ＩＣ（Integrated Circuit）等のハードウェアによって実現されてもよいし、当該ソフトウェア及びハードウェアの組み合わせ構成として実現されてもよい。
【００７８】
また、図１９の例では、表示装置１とは独立して制御装置２０１及び記憶装置２０２を設けたが、表示装置１の中に制御装置２０１及び記憶装置２０２を備えることでもよい。図１９のように、制御装置２０１及び記憶装置２０２が独立した構成では、制御装置２０１側で表示モードに応じた画像を生成し、表示装置１がこの画像を制御装置２０１から取得して表示部ＤＡに表示する。制御装置２０１及び記憶装置２０２が表示装置１に備えられた構成では、表示装置１の中で表示モードに応じた画像を生成し、その画像を表示部ＤＡに表示する。
【００７９】
≪表示動作≫  
次に、表示装置１の動作について、３つのモード切替え方法１〜３に分けて説明する。なお、以下の各フローチャートによって示される処理は、コンピュータである制御装置２０１がプログラムを読み込むことにより実行される。上述したように、制御装置２０１は、表示装置１と独立して設けられていてもよいし、表示装置１の中に組み込まれていてもよい。
【００８０】
（１）モード切替え方法１  
モード切替え方法１は、物理ボタン３０１を用いる方法である。表示装置１の表示部ＤＡの向きは、横向きであっても縦向きであってもよい。表示部ＤＡを横向きにした状態であれば、図１３及び図１４で説明したような使い方になる。
【００８１】
図２０は、モード切替え方法１による表示装置１の動作を説明するためのフローチャートである。制御装置２０１は、物理ボタン３０１が操作されたときに発生される信号ａまたは信号ｂを検知する（ステップＳ１１）。信号ａは、第１の表示モードを設定するための信号である。信号ｂは、第２の表示モードを設定するための信号である。信号ａと信号ｂは、物理ボタン３０１の操作に応じて選択的に制御装置２０１に入力される。
【００８２】
物理ボタン３０１の操作信号として信号ａが検知された場合には（ステップＳ１２のＹｅｓ）、制御装置２０１は、現在の表示モードを第１の表示モードに切り替える（ステップＳ１３）。第１の表示モードでは、制御装置２０１は、観察者の左右方向の視線の動きに合わせた横観察用の第１の画像を生成する（ステップＳ１４）。制御装置２０１は、この第１の画像を表示装置１の表示部ＤＡに表示する（ステップＳ１５）。
【００８３】
一方、物理ボタン３０１の操作信号として信号ｂが検知された場合には（ステップＳ１２のＮｏ）、制御装置２０１は、現在の表示モードを第２の表示モードに切り替える（ステップＳ１６）。第２の表示モードでは、制御装置２０１は、観察者の上下方向の視線の動きに合わせた縦観察用の第２の画像を生成する（ステップＳ１７）。制御装置２０１は、この第２の画像を表示装置１の表示部ＤＡに表示する（ステップＳ１８）。
【００８４】
このように、物理ボタン３０１を用いた明示的な操作により、第１の表示モードまたは第２の表示モードに切り替えられる。第１の表示モードでは、横観察用の第１の画像が表示部ＤＡに表示される。これにより、観察者の視線を左右方向に動かすことで、高品位な立体画像を観察できる。第２の表示モードでは、縦観察用の第２の画像が表示部ＤＡに表示される。これにより、観察者の視線を上下方向に動かすことで、高品位な立体画像を観察できる。
【００８５】
（２）モード切替え方法２  
モード切替え方法２は、トラッキングシステム３０２を用いる方法である。モード切替え方法１と同様に、表示装置１の表示部ＤＡの向きは、横向きであっても縦向きであってもよい。表示部ＤＡを横向きにした状態であれば、図１３及び図１４で説明したような使い方になる。
【００８６】
図２１は、モード切替え方法２による表示装置１の動作を説明するためのフローチャートである。制御装置２０１は、トラッキングシステム３０２を通じて観察者の視線または顔の動きを検知する（ステップＳ２１）。なお、観察者の視線検知（アイトラッキング）や観察者の顔の動き検知（ヘッドトラッキング）の方法については公知であるため、ここでは詳しい説明を省略する。
【００８７】
トラッキングシステム３０２によって観察者の視線または顔が表示部ＤＡに対して左右方向（水平方向）に動いた状態が検知されると（ステップＳ２２のＹｅｓ）、制御装置２０１は、現在の表示モードを第１の表示モードに切り替える（ステップＳ２３）。
【００８８】
なお、観察者の視線または顔はいろいろな方向に動くことがある。したがって、検知時間にある程度の時間幅を持たせておき、観察者の視線または顔が表示部ＤＡに対して一定時間以上左右方向に動いた状態が検知された場合に第１の表示モードに切り替えることが好ましい。第１の表示モードでは、制御装置２０１は、観察者の左右方向の視線の動きに合わせた横観察用の第１の画像を生成する（ステップＳ２４）。制御装置２０１は、この第１の画像を表示装置１の表示部ＤＡに表示する（ステップＳ２５）。
【００８９】
一方、トラッキングシステム３０２によって観察者の視線または顔が表示部ＤＡに対して上下方向（垂直方向）に動いた状態が検知されると（ステップＳ２２のＮｏ）、制御装置２０１は、現在の表示モードを第２の表示モードに切り替える（ステップＳ２６）。
【００９０】
水平方向の動き検知と同様に、垂直方向の動きを検知する場合も検知時間にある程度の時間幅を持たせておき、観察者の視線または顔が表示部ＤＡに対して一定時間以上上下方向に動いた状態が検知された場合に第２の表示モードに切り替えることが好ましい。第２の表示モードでは、制御装置２０１は、観察者の上下方向の視線の動きに合わせた縦観察用の第２の画像を生成する（ステップＳ２７）。制御装置２０１は、この第２の画像を表示装置１の表示部ＤＡに表示する（ステップＳ２８）。
【００９１】
このように、観察者の視線または顔の動きに合わせて、第１の表示モードまたは第２の表示モードに切り替えられる。したがって、観察者が特に意識しなくても、視線または顔を左右方向または上下方向に動かすことで、高品位な立体画像を観察できる。
【００９２】
（３）モード切替え方法３  
モード切替え方法３は、傾き検知部３０３を用いる方法である。モード切替え方法１，モード切替え方法２とは異なり、表示装置１の表示部ＤＡの傾きによって表示モードが切り替えられる。
【００９３】
図２２は、モード切替え方法３による表示装置１の動作を説明するためのフローチャートである。制御装置２０１は、傾き検知部３０３を通じて表示装置１の表示部ＤＡの傾きを検知する（ステップＳ３１）。なお、傾き検知部３０３は、例えばジャイロセンサを用いるが、ジャイロセンサを用いた傾き検知の方法については公知であるため、ここでは詳しい説明を省略する。
【００９４】
傾き検知部３０３によって表示部ＤＡが横向きの状態にあることが検知されると（ステップＳ３２のＹｅｓ）、制御装置２０１は、現在の表示モードを第１の表示モードに切り替える（ステップＳ３３）。表示部ＤＡが横向きの状態とは、図９の例のように表示部ＤＡの第１方向Ｘが垂直方向に近い状態、第２方向Ｙが水平方向に近い状態にあることを言う。
【００９５】
なお、観察者が表示部ＤＡの向きを頻繁に変えることがある。したがって、検知時間にある程度の時間幅を持たせておき、表示部ＤＡが一定時間以上横向きの状態にあることが検知された場合に第１の表示モードに切り替えることが好ましい。第１の表示モードでは、制御装置２０１は、観察者の左右方向の視線の動きに合わせた横観察用の第１の画像を生成する（ステップＳ３４）。制御装置２０１は、この第１の画像を表示装置１の表示部ＤＡに表示する（ステップＳ３５）。
【００９６】
一方、傾き検知部３０３によって表示部ＤＡが縦向きの状態にあることが検知されると（ステップＳ３２のＮｏ）、制御装置２０１は、現在の表示モードを第１の表示モードに切り替える（ステップＳ３６）。表示部ＤＡが縦向きの状態とは、図１１の例のように、表示部ＤＡの第１方向Ｘが水平方向に近い状態で、第２方向Ｙが垂直方向に近い状態にあることを言う。
【００９７】
表示部ＤＡの横向き状態の検知と同様に、検知時間にある程度の時間幅を持たせておき、表示部ＤＡが一定時間以上縦向きの状態にあることが検知された場合に第２の表示モードに切り替えることが好ましい。第２の表示モードでは、制御装置２０１は、観察者の上下方向の視線の動きに合わせた縦観察用の第２の画像を生成する（ステップＳ３７）。制御装置２０１は、この第２の画像を表示装置１の表示部ＤＡに表示する（ステップＳ３８）。
【００９８】
このように、表示部ＤＡを横向きに傾けたときに第１の表示モード、表示部ＤＡを縦向きに傾けたときに第２の表示モードに切り替えられる。第１の表示モードでは横観察用の第１の画像が表示されるので、横向き状態にある表示部ＤＡの左右方向（水平方向）に目線を動かすことで、高品位な立体画像を観察できる。第２の表示モードでは縦観察用の第２の画像が表示されるので、縦向き状態にある表示部ＤＡの上下方向（垂直方向）に目線を動かすことで、高品位な立体画像を観察できる。
【００９９】
上述したモード切替え方法１〜３は、例えばメニュー画面上での選択操作や、ボタン操作などにより任意に選択できる。ボタン操作で２方向の立体画像を観察した場合にはモード切替え方法１を選択すればよい。視線や頭の動きで２方向の立体画像を観察した場合にはモード切替え方法２を選択すればよい。表示部ＤＡを傾けることで２方向の立体画像を観察した場合にはモード切替え方法３を選択すればよい。
【０１００】
以上説明したように、本実施形態によれば、左右方向と上下方向の２方向に対する立体画像の表示品位を改善することが可能な表示装置を提供することができる。
【０１０１】
なお、本実施形態では、Ｌは２５に限らないし、ｎは３に限らないし、ｍは２に限らない。例えば、Ｌは、２５より大きい場合もありうるし、２５より小さい場合もありうる。また、ｍは２より大きい場合もありうる。また、赤副画素ＳＰＲ、緑副画素ＳＰＧ、青副画素ＳＰＢ、及び、白副画素ＳＰＷが第１方向Ｘに並んだ場合に、ｎは４となる。但し、ｎが４の場合であっても、副画素の色の組合せは種々変更可能である。
【０１０２】
要するに、この発明は、上記各実施形態そのものに限定されるものではなく、その実施の段階ではその要旨を逸脱しない範囲で構成要素を変形して具体化できる。また、各実施形態に開示されている複数の構成要素の適宜な組み合せにより種々の発明を形成できる。例えば、各実施形態に示される全構成要素から幾つかの構成要素を削除してもよい。更に、異なる実施形態に亘る構成要素を適宜組み合せてもよい。
【０１０３】
本発明の思想の範疇において、当業者であれば、各種の変形例に想到し得るものであり、それら変形例についても本発明の範囲に属するものと解される。例えば、上述の各実施形態に対して、当業者が適宜、構成要素の追加、削除、若しくは設計変更を行ったもの、又は、工程の追加、省略若しくは条件変更を行ったものも、本発明の要旨を備えている限り、本発明の範囲に含まれる。
【０１０４】
また、各実施形態において述べた態様によりもたらされる他の作用効果について、本明細書の記載から明らかなもの、又は当業者において適宜想到し得るものについては、当然に本発明によりもたらされるものと解される。
【符号の説明】
【０１０５】
１…表示装置  １０…表示パネル  ２０、６０…光制御素子
ＤＡ…表示部  ＳＰ…副画素  Ｇ…画素群
ＳＰＲ…赤副画素  ＳＰＧ…緑副画素  ＳＰＢ…青副画素
２２…光規制体（光制御部）  ２３…遮光体  ２４…開口
６１…レンズ（光制御部）
１００…光制御部
２００…表示システム  ２０１…制御装置  ２０２…記憶装置
３０１…物理ボタン  ３０２トラッキングシステム  ３０３…傾き検知部
【図１】
2020134679.tif 000003
【図２】
2020134679.tif 000004
【図３】
2020134679.tif 000005
【図４】
2020134679.tif 000006
【図５】
2020134679.tif 000007
【図６】
2020134679.tif 000008
【図７】
2020134679.tif 000009
【図８】
2020134679.tif 000010
【図９】
2020134679.tif 000011
【図１０】
2020134679.tif 000012
【図１１】
2020134679.tif 000013
【図１２】
2020134679.tif 000014
【図１３】
2020134679.tif 000015
【図１４】
2020134679.tif 000016
【図１５】
2020134679.tif 000017
【図１６】
2020134679.tif 000018
【図１７】
2020134679.tif 000019
【図１８】
2020134679.tif 000020
【図１９】
2020134679.tif 000021
【図２０】
2020134679.tif 000022
【図２１】
2020134679.tif 000023
【図２２】
2020134679.tif 000024